(57)【要約】【課題】電気式音声信号発生装置を警報器として使用した時に信頼性の高い音声信号発生装置を提供する【解決手段】プレイレジスタ１０２は、ＣＰＵ１００によって音声信号発生指令が書き込まれる。発音回路１０３は、その音声信号発生指令を受けて音声信号を生成して出力し、また、異常信号を受けた時、音声信号の再生成を行って出力する。タイマー１０５は、音声信号発生指令を受けて時間計測を開始し、設定時間が経過した時点で信号を出力する。判定回路１０７は、発音回路１０３から一定レベル以上の音声信号が出力されているか出力されていないかを判定する。比較器１０６は、タイマーから信号が出力された時点で判定回路１０７の判定結果が「出力されていない」であった場合に、発音回路１０３およびＣＰＵ１００へ異常信号を出力する。【選択図】図１
2008083623.tif 000002
【特許請求の範囲】
【請求項１】
外部からの音声信号発生指令を受けて音声信号を生成して出力する音声信号発生手段と、
前記音声信号発生指令を受けて時間計測を開始し、設定時間が経過した時点で信号を出力するタイマーと、
前記音声信号発生手段から音声信号が出力されているか出力されていないかを判定する判定手段と、
前記タイマーから信号が出力された時に前記判定手段で音声信号が出力されていないと判定された場合に、前記音声信号発生手段へ異常信号を出力する異常検出手段と、
を具備し、前記音声信号発生手段は、前記異常信号が入力された時に音声信号を生成して出力することを特徴とする音声信号発生装置。
【請求項２】
前記音声信号発生手段は、外部からの音声信号発生指令を受けた場合と、異常信号を受けた場合とで異なる音声信号を生成し出力することを特徴とする請求項１に記載の音声信号発生装置。
【請求項３】
前記異常検出手段は、前記異常信号を外部の制御手段へ出力し、前記制御手段は前記異常信号を受けた時に前記音声信号発生指令を前記音声信号発生手段に出力することを特徴とする請求項１または請求項２に記載の音声信号発生装置。
【発明の詳細な説明】
【技術分野】
【０００１】
本発明は、警報器等に使用される音声信号発生装置に関する。
【背景技術】
【０００２】
図２は従来の電子式音声信号発生装置（音源ＬＳＩ）１の構成例を示すブロック図であり、この音声信号発生装置１は外部のＣＰＵ（中央処理装置）からの指示を受けて警報音の音声信号を生成し、スピーカ３へ出力する。この音声信号発生装置１において、５はプレイレジスタであり、ＣＰＵ２から出力される音声発生指令が書き込まれる。６は発音回路であり、プレイレジスタ５に音声発生指令が書き込まれた時それを検出し、警報音のディジタル音声信号を発生し、ＤＡＣ（ディジタル／アナログコンバータ）７へ出力する。ＤＡＣ７は発音回路６から出力されたディジタル音声信号をアナログ音声信号に変換し、スピーカ３へ出力する。なお、自動車の警報器に使用される回路として、以下の文献が知られている。
【特許文献１】特開昭６０−１６３７４５号公報
【発明の開示】
【発明が解決しようとする課題】
【０００３】
ところで、例えば、車のクラクションや運転席の運転者へ異常を知らせる警報器等は、警報音が何らかの原因で発生しないと、重大事故に繋がる恐れがあり、このため、確実に警報音が鳴ることが必要である。しかしながら、上述した従来の電子式音声信号発生装置にあっては、ＣＰＵから音声発生の指令があった場合において発音回路６が動作しなかった場合に異常として検出することができない。また、電源電圧降下、静電ノイズ（静電気やイグニッションノイズ）、宇宙線ノイズ等が原因で音声信号発生装置が異常状態となって音声信号が出力されなくても、異常として検出できない。これらのため、図２に示すような従来の電気式音声信号発生装置は、信頼性が要求される分野に使用することができないという欠点があった。
【０００４】
本発明は上記事情を考慮してなされたもので、その目的は、電気式音声信号発生装置を警報器として使用した時に信頼性の高い音声信号発生装置を提供することにある。
【課題を解決するための手段】
【０００５】
この発明は上記の課題を解決するためになされたもので、請求項１に記載の発明は、外部からの音声信号発生指令を受けて音声信号を生成して出力する音声信号発生手段と、前記音声信号発生指令を受けて時間計測を開始し、設定時間が経過した時点で信号を出力するタイマーと、前記音声信号発生手段から音声信号が出力されているか出力されていないかを判定する判定手段と、前記タイマーから信号が出力された時に前記判定手段で音声信号が出力されていないと判定された場合に、前記音声信号発生手段へ異常信号を出力する異常検出手段と、を具備し、前記音声信号発生手段は、前記異常信号が入力された時に音声信号を生成して出力することを特徴とする音声信号発生装置である。
【０００６】
請求項２に記載の発明は、請求項１に記載の音声信号発生装置において、前記音声信号発生手段は、外部からの音声信号発生指令を受けた場合と、異常信号を受けた場合とで異なる音声信号を生成し出力することを特徴とする。
請求項３に記載の発明は、請求項１または請求項２に記載の音声信号発生装置において、前記異常検出手段は、前記異常信号を外部の制御手段へ出力し、前記制御手段は前記異常信号を受けた時に前記音声信号発生指令を前記音声信号発生手段に出力することを特徴とする。
【発明の効果】
【０００７】
この発明によれば、音声信号の発生指令から一定時間後に音声信号の発生をチェックし、音声信号が出力されていない場合に、音声信号の再生成を行うようにしたので、従来のものより信頼性が向上し、この結果、発音の確実性が強く要求される分野においても充分に使用に耐える音声信号発生装置を提供することができる。また、この発明によれば、音声信号発生指令を受けた場合と、異常信号を受けた場合とで異なる音声信号を生成し出力するので、異常が発生した場合にユーザが即座に知ることができる効果がある。
【発明を実施するための最良の形態】
【０００８】
以下、図面を参照し、この発明の実施の形態について説明する。図１はこの発明の一実施の形態による音声信号発生装置１０１の構成を示すブロック図である。この図において、符号１００はＣＰＵ（あるいは、コントローラ）であり、警報音発生指令を音声信号発生装置１０１へ出力する。音声信号発生装置１０１において、１０２はプレイレジスタであり、ＣＰＵ１００から出力された警報音発生指令が記憶される。１０３は発音回路であり、プレイレジスタ１０２に警報音発生指令が書き込まれた時、それを検出し、ＦＭ（周波数変調）方式あるいは波形メモリ方式等によってディジタル音声信号（警報音信号）を発生し、Ｄ／Ａコンバータ１０４へ出力する。また、初期化端子へ信号が入力された時、内部のディジタル信号形成ユニットをリセットして再起動する。Ｄ／Ａコンバータ１０４は発音回路１０３から出力されたディジタル音声信号をアナログ音声信号に変換し、スピーカ１０９へ出力する。
【０００９】
符号１０５はタイマーであり、プレイレジスタ１０２に警報音発生指令が書き込まれた時点から予め設定された一定時間を計測し、その一定時間が経過した時点で信号を比較器１０６へ出力する。１０７は、発音回路１０３からディジタル音声信号が一定レベル以上で出力されているか、それ以下であるかを判定する判定回路であり、判定結果を比較器１０６へ出力する。比較器１０６は、タイマー１０５から信号が出力された時点で判定回路１０７の出力をチェックし、ディジタル音声信号が出力されていない場合に、異常信号を発音回路１０３の初期化端子およびＣＰＵ１００の割り込み端子へ出力する。
【００１０】
このような構成において、ＣＰＵ１００から警報音発生指令がプレイレジスタ１０２に書き込まれると、発音回路１０３がそれを検知し、ディジタル音声信号を生成してＤ／Ａコンバータ１０４へ出力する。Ｄ／Ａコンバータ１０４は発音回路１０３の出力をアナログ楽音信号に変換しスピーカ１０９へ出力する。これにより、スピーカ１０９から警報音が発生する。一方、タイマー１０５はプレイレジスタ１０２に警報音発生指令が書き込まれた時点で時間計測を開始し、設定時間が経過した時点で信号を出力する。
【００１１】
このタイマー１０５から信号が出力された時点で発音回路１０３がディジタル音声信号を出力していた場合は、比較器１０６から異常信号が出力されることはない。しかし、何らかの原因でプレイレジスタ１０２に警報音発生指令がセットされたにもかかわらず発音回路１０３が動作しなかった時、あるいは、発音が行われても、「プツッ」という短い音が発生しただけで、一定時間連続的に一定レベル以上のディジタル音声信号の出力が行われなかった場合には、比較器１０６から異常信号が発音回路１０３およびＣＰＵ１００へ出力される。
【００１２】
発音回路１０３は、この異常信号を受け、内部のディジタル信号形成ユニットをリセットして再起動する。これにより、ディジタル音声信号の生成が再び行われ、スピーカから警報音が発生する。一方、ＣＰＵ１００は比較器１０６からの異常信号を受け、ユーザに異常発生を通知する等の処理を行う。
【００１３】
このように、上記実施形態によれば、警報音が発生しなかった場合に、発音回路１０３をリセットして内部のディジタル信号形成ユニットを再起動し、警報音の発生を行う。これにより、警報音発生の確実性が従来のものより高くなり、信頼性の高い音声信号発生装置を得ることができる。
【００１４】
なお、上記実施形態において、発音回路１０３がリセットされた時、本来発生するべき音声信号と異なる音声信号を発生するようにしてもよい。この場合、ユーザは、警報音を聞いて異常発生があったことを知ることができると同時に、音声信号発生装置にも異常が発生したことを知ることができる。
【００１５】
また、上記実施形態においては、比較器１０６からの異常信号を発音回路１０３に入力しているが、これに代えて、異常信号をＣＰＵ１００だけに入力させ、ＣＰＵ１００がこの異常信号を受け、警報音発生指令を再度プレイレジスタ１０２にセットして発音回路１０３を再起動するようにしてもよい。
また、発音回路が複数ある場合は、上述した異常発生の際の処理を各発音回路毎に行うようにすればよい。
【産業上の利用可能性】
【００１６】
この発明は、車のクラクションや運転席の運転者へ異常を知らせる警報器等、警報音が何らかの原因で発生しないと、重大事故に繋がる恐れがある装置に用いて好適である。
【図面の簡単な説明】
【００１７】
【図１】この発明の一実施形態による音声信号発生装置の構成を示すブロック図である。
【図２】従来の音声信号発生装置の一例を示すブロック図である。
【符号の説明】
【００１８】
１００…ＣＰＵ、１０１…音声信号発生装置、１０２…プレイレジスタ、１０３…発音回路、１０４…Ｄ／Ａコンバータ、１０５…タイマー、１０６…比較器、１０７…判定回路、１０９…スピーカ。
【図１】
2008083623.tif 000003
【図２】
2008083623.tif 000004